(57)【要約】【課題】本発明はアクセサリー手入れ装置を開示した。【解決手段】本体を含み、前記本体の中には手入れチャンバが設置され、前記手入れチャンバの中には手入れ装置が設置され、前記手入れチャンバの上側壁の中にはスライドチャンバが設置され、前記スライドチャンバの中にはスライド装置が設置され、前記手入れチャンバの下側壁の中には動力チャンバが設置され、前記動力チャンバの中には伝動装置が設置され、前記手入れチャンバの中には洗浄装置が設置され、前記本体の中には駆動機構が設置される。【選択図】図１
2020175366.tif 000002
【特許請求の範囲】
【請求項１】
正面視で、本体を含み、前記本体の中には手入れチャンバが設置され、前記手入れチャンバの中には手入れ装置が設置され、前記手入れチャンバの上側壁の中にはスライドチャンバが設置され、前記スライドチャンバの中にはスライド装置が設置され、前記手入れチャンバの下側壁の中には動力チャンバが設置され、前記動力チャンバの中には伝動装置が設置され、前記手入れチャンバの中には洗浄装置が設置され、前記本体の中には駆動機構が設置され、
前記駆動機構はモータと主軸とを含み、前記主軸が前記動力チャンバの中に回転可能に設置され、前記モータが前記動力チャンバの下側壁の中に固定的に設置され、前記主軸と前記モータとが伝動可能に設置され、前記駆動機構により前記伝動装置を回転連動させることにより、前記手入れ装置を回転連動させてアクセサリーを手入れすることができることを特徴とするアクセサリー手入れ装置。
【請求項２】
前記伝動装置は前記動力チャンバの中に設置された伝達主軸を含み、前記伝達主軸の底端には伝達副プーリが設置され、前記主軸の表面には伝達主プーリが固定的に設置され、前記伝達主プーリと前記伝達副プーリとの間には伝達ベルトが設置され、前記動力チャンバの上側壁の中には伝達チャンバが設置され、前記伝達主軸の頂端には前記伝達チャンバの中に位置した伝達主傘歯車が設置され、前記動力チャンバの中には伝動主軸が設置され、前記伝動主軸の底端には伝動副プーリが設置され、前記主軸の表面には伝動主プーリが固定的に設置され、前記伝動主プーリと前記伝動副プーリとの間には伝動ベルトが設置され、前記手入れチャンバの上側壁の中には延伸チャンバが設置され、前記延伸チャンバにおいて前記伝動主軸の頂端には同期主プーリが設置されていることを特徴とする請求項１に記載のアクセサリー手入れ装置。
【請求項３】
前記手入れ装置は前記手入れチャンバの中に設置された下手入れブラシと上手入れブラシとを含み、前記上手入れブラシと前記下手入れブラシとが協働状態から離れた状態であり、前記手入れチャンバの中には連動軸がスライド可能に設置され、前記連動軸と前記上手入れブラシとが固定的に連結され、前記連動軸の表面には主回転歯車が固定的に設置され、前記手入れチャンバの中には伝動副軸が設置され、前記伝動副軸の底端には前記主回転歯車と噛み合った副回転歯車が設置され、前記伝動副軸の頂端には同期副プーリが設置され、前記同期副プーリと前記同期主プーリとの間には同期ベルトが設置され、前記下手入れブラシと前記主軸とが固定的に連結されていることを特徴とする請求項２に記載のアクセサリー手入れ装置。
【請求項４】
前記スライド装置は前記スライドチャンバの中に設置された連結軸を含み、前記連結軸の前端にはカムが設置され、前記スライドチャンバの中にはスライド板がスライド可能に設置され、前記スライド板が前記連動軸の表面に回転可能に設置され、前記連結軸の後端にはウォームホイールが設置され、前記伝達チャンバの中には伝達副軸が設置され、前記伝達副軸の左端には前記伝達主傘歯車と噛み合った伝達副傘歯車が設置され、前記伝達副軸の右端には前記スライドチャンバの中に設置され且つ前記ウォームホイールと協働するウォームが設置されていることを特徴とする請求項３に記載のアクセサリー手入れ装置。
【請求項５】
前記洗浄装置は前記動力チャンバの下壁の中に設置された洗浄ポンプを含み、前記動力チャンバの中にはポンプシャフトが回転可能に設置され、前記ポンプシャフトと前記洗浄ポンプとが伝動可能に連結され、前記ポンプシャフトの頂端にはポンプ副歯車が設置され、前記主軸の表面には前記ポンプ副歯車と噛み合ったポンプ主歯車が設置され、前記動力チャンバの下側壁の中には液体貯蔵チャンバが設置され、前記液体貯蔵チャンバと前記洗浄ポンプとの間が液体入り管路  により連通されており、前記動力チャンバの下側壁の中には調節弁が設置され、前記調節弁と前記洗浄ポンプとが高圧管路により連通されており、前記調節弁と前記液体貯蔵チャンバとが回流管路により連通されており、ぜき手入れチャンバの中には旋転ブロックが設置され、前記旋転ブロックの中にはノズルが回転可能に設置され、前記上手入れブラシの表面にはラックが設置され、前記ノズルの中には洗浄管路が設置され、前記調節弁の片側には液体送出管路が設置され、前記上手入れブラシの中には協働溝が設置され、前記協働溝の中には協働スライドブロックがスライド可能に設置され、前記協働スライドブロックが前記出力管路の表面に固定的に設置され、前記協働スライドブロックと前記協働溝の端壁との間には復帰ばねが弾性を持つように設置されていることを特徴とする請求項１に記載のアクセサリー手入れ装置。
【発明の詳細な説明】
【技術分野】
【０００１】
本発明はアクセサリー手入れ分野に関し、具体的にはアクセサリー手入れ装置に関する。
【背景技術】
【０００２】
銀等の貴金属から作られたアクセサリーはデザインが美しく、細工が施され、しかも服装とうまくコーディネートできる。社会の発展とともに経済は上向きを持続し、購買力も増したことにより、人々の銀細工品に対する購買意欲が上がってきた。しかし銀細工品は長時間つけると、表面が酸化して黒くなり、美観度に影響し、着用者に不快感を覚えさせてしまう。
そのため、本発明はアクセサリーを手入れできる装置をデザインする。
【先行技術文献】
【特許文献】
【０００３】
【特許文献１】中国特許出願公開第105603443号明細書
【発明の概要】
【発明が解決しようとする課題】
【０００４】
本発明の目的はアクセサリー手入れ装置を提供し、それは上記の現在の技術中の問題を解決できる。
【課題を解決するための手段】
【０００５】
上記の課題を解決するため、本発明は以下の技術プランを採用する：アクセサリー手入れ装置は、本体を含み、前記本体の中には手入れチャンバが設置され、前記手入れチャンバの中には手入れ装置が設置され、前記手入れチャンバの上側壁の中にはスライドチャンバが設置され、前記スライドチャンバの中にはスライド装置が設置され、前記手入れチャンバの下側壁の中には動力チャンバが設置され、前記動力チャンバの中には伝動装置が設置され、前記手入れチャンバの中には洗浄装置が設置され、前記本体の中には駆動機構が設置され、
前記駆動機構はモータと主軸とを含み、前記主軸が前記動力チャンバの中に回転可能に設置され、前記モータが前記動力チャンバの下側壁の中に固定的に設置され、前記主軸と前記モータとが伝動可能に設置され、前記駆動機構により前記伝動装置を回転連動させることにより、前記手入れ装置を回転連動させてアクセサリーを手入れすることができる。
【０００６】
優選的には、前記伝動装置は前記動力チャンバの中に設置された伝達主軸を含み、前記伝達主軸の底端には伝達副プーリが設置され、前記主軸の表面には伝達主プーリが固定的に設置され、前記伝達主プーリと前記伝達副プーリとの間には伝達ベルトが設置され、前記動力チャンバの上側壁の中には伝達チャンバが設置され、前記伝達主軸の頂端には前記伝達チャンバの中に位置した伝達主傘歯車が設置され、前記動力チャンバの中には伝動主軸が設置され、前記伝動主軸の底端には伝動副プーリが設置され、前記主軸の表面には伝動主プーリが固定的に設置され、前記伝動主プーリと前記伝動副プーリとの間には伝動ベルトが設置され、前記手入れチャンバの上側壁の中には延伸チャンバが設置され、前記延伸チャンバにおいて前記伝動主軸の頂端には同期主プーリが設置されている。
【０００７】
前記手入れ装置は前記手入れチャンバの中に設置された下手入れブラシと上手入れブラシとを含み、前記上手入れブラシと前記下手入れブラシとが協働状態から離れた状態であり、前記手入れチャンバの中には連動軸がスライド可能に設置され、前記連動軸と前記上手入れブラシとが固定的に連結され、前記連動軸の表面には主回転歯車が固定的に設置され、前記手入れチャンバの中には伝動副軸が設置され、前記伝動副軸の底端には前記主回転歯車と噛み合った副回転歯車が設置され、前記伝動副軸の頂端には同期副プーリが設置され、前記同期副プーリと前記同期主プーリとの間には同期ベルトが設置され、前記下手入れブラシと前記主軸とが固定的に連結されている。
【０００８】
前記スライド装置は前記スライドチャンバの中に設置された連結軸を含み、前記連結軸の前端にはカムが設置され、前記スライドチャンバの中にはスライド板がスライド可能に設置され、前記スライド板が前記連動軸の表面に回転可能に設置され、前記連結軸の後端にはウォームホイールが設置され、前記伝達チャンバの中には伝達副軸が設置され、前記伝達副軸の左端には前記伝達主傘歯車と噛み合った伝達副傘歯車が設置され、前記伝達副軸の右端には前記スライドチャンバの中に設置され且つ前記ウォームホイールと協働するウォームが設置されている。
【０００９】
前記洗浄装置は前記動力チャンバの下壁の中に設置された洗浄ポンプを含み、前記動力チャンバの中にはポンプシャフトが回転可能に設置され、前記ポンプシャフトと前記洗浄ポンプとが伝動可能に連結され、前記ポンプシャフトの頂端にはポンプ副歯車が設置され、前記主軸の表面には前記ポンプ副歯車と噛み合ったポンプ主歯車が設置され、前記動力チャンバの下側壁の中には液体貯蔵チャンバが設置され、前記液体貯蔵チャンバと前記洗浄ポンプとの間が液体入り管路  により連通されており、前記動力チャンバの下側壁の中には調節弁が設置され、前記調節弁と前記洗浄ポンプとが高圧管路により連通されており、前記調節弁と前記液体貯蔵チャンバとが回流管路により連通されており、ぜき手入れチャンバの中には旋転ブロックが設置され、前記旋転ブロックの中にはノズルが回転可能に設置され、前記上手入れブラシの表面にはラックが設置され、前記ノズルの中には洗浄管路が設置され、前記調節弁の片側には液体送出管路が設置され、前記上手入れブラシの中には協働溝が設置され、前記協働溝の中には協働スライドブロックがスライド可能に設置され、前記協働スライドブロックが前記出力管路の表面に固定的に設置され、前記協働スライドブロックと前記協働溝の端壁との間には復帰ばねが弾性を持つように設置されている。
【発明の効果】
【００１０】
本発明の有益効果は：本発明は構造が簡単で、操作とメンテナンスと検修が便利であり、アクセサリーを磨いて拭くことにより保護を行い、酸化した表面を除き、アクセサリーの美観度と手入れ効率を上げ、手入れ過程中の作業者の労力を削減し、使用と宣伝価値がある。
【図面の簡単な説明】
【００１１】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明のアクセサリー手入れ装置の全体構造略図
【図２】図２は図１におけるＡの構造略図
【図３】図３は図１におけるＢ―Ｂの構造略図
【図４】図４は図１におけるＣの構造略図
【図５】図５は図１におけるＤの構造略図
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。
【００１４】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１５】
図１〜５に示すように、本発明のアクセサリー手入れ装置は、本体１１を含み、前記本体１１の中には手入れチャンバ２６が設置され、前記手入れチャンバ２６の中には手入れ装置が設置され、前記手入れチャンバ２６の上側壁の中にはスライドチャンバ１４が設置され、前記スライドチャンバ１４の中にはスライド装置が設置され、前記手入れチャンバ２６の下側壁の中には動力チャンバ３１が設置され、前記動力チャンバ３１の中には伝動装置が設置され、前記手入れチャンバ２６の中には洗浄装置が設置され、前記本体１１の中には駆動機構が設置され、
前記駆動機構はモータ３６と主軸３５とを含み、前記主軸３５が前記動力チャンバ３１の中に回転可能に設置され、前記モータ３６が前記動力チャンバ３１の下側壁の中に固定的に設置され、前記主軸３５と前記モータ３６とが伝動可能に設置され、前記駆動機構により前記伝動装置を回転連動させることにより、前記手入れ装置を回転連動させてアクセサリーを手入れすることができる。
【００１６】
有益的には、前記伝動装置は前記動力チャンバ３１の中に設置された伝達主軸２２を含み、前記伝達主軸２２の底端には伝達副プーリ２９が設置され、前記主軸３５の表面には伝達主プーリ３０が固定的に設置され、前記伝達主プーリ３０と前記伝達副プーリ２９との間には伝達ベルト２８が設置され、前記動力チャンバ３１の上側壁の中には伝達チャンバ１９が設置され、前記伝達主軸２２の頂端には前記伝達チャンバ１９の中に位置した伝達主傘歯車２０が設置され、前記動力チャンバ３１の中には伝動主軸４７が設置され、前記伝動主軸４７の底端には伝動副プーリ４４が設置され、前記主軸３５の表面には伝動主プーリ３２が固定的に設置され、前記伝動主プーリ３２と前記伝動副プーリ４４との間には伝動ベルト４６が設置され、前記手入れチャンバ２６の上側壁の中には延伸チャンバ５２が設置され、前記延伸チャンバ５２において前記伝動主軸４７の頂端には同期主プーリ５３が設置されている。
【００１７】
前記手入れ装置は前記手入れチャンバ２６の中に設置された下手入れブラシ２７と上手入れブラシ２４とを含み、前記上手入れブラシ２４と前記下手入れブラシ２７とが協働状態から離れた状態であり、前記手入れチャンバ２６の中には連動軸４８がスライド可能に設置され、前記連動軸４８と前記上手入れブラシ２４とが固定的に連結され、前記連動軸４８の表面には主回転歯車５０が固定的に設置され、前記手入れチャンバ２６の中には伝動副軸５１が設置され、前記伝動副軸５１の底端には前記主回転歯車と噛み合った副回転歯車４９が設置され、前記伝動副軸５１の頂端には同期副プーリ５５が設置され、前記同期副プーリ５５と前記同期主プーリ５３との間には同期ベルト５４が設置され、前記下手入れブラシ２７と前記主軸３５とが固定的に連結されている。
【００１８】
前記スライド装置は前記スライドチャンバ１４の中に設置された連結軸１５を含み、前記連結軸１５の前端にはカム１３が設置され、前記スライドチャンバ１４の中にはスライド板１２がスライド可能に設置され、前記スライド板１２が前記連動軸４８の表面に回転可能に設置され、前記連結軸１５の後端にはウォームホイール１６が設置され、前記伝達チャンバ１９の中には伝達副軸２１が設置され、前記伝達副軸２１の左端には前記伝達主傘歯車２０と噛み合った伝達副傘歯車１８が設置され、前記伝達副軸２１の右端には前記スライドチャンバ１４の中に設置され且つ前記ウォームホイール１６と協働するウォーム１７が設置されている。
【００１９】
前記洗浄装置は前記動力チャンバ３１の下壁の中に設置された洗浄ポンプ４２を含み、前記動力チャンバ３１の中にはポンプシャフト４３が回転可能に設置され、前記ポンプシャフト４３と前記洗浄ポンプ４２とが伝動可能に連結され、前記ポンプシャフト４３の頂端にはポンプ副歯車４５が設置され、前記主軸３５の表面には前記ポンプ副歯車４５と噛み合ったポンプ主歯車３４が設置され、前記動力チャンバ３１の下側壁の中には液体貯蔵チャンバ３３が設置され、前記液体貯蔵チャンバ３３と前記洗浄ポンプ４２との間が液体入り管路  ３８により連通されており、前記動力チャンバ３１の下側壁の中には調節弁３９が設置され、前記調節弁３９と前記洗浄ポンプ４２とが高圧管路４１により連通されており、前記調節弁３９と前記液体貯蔵チャンバ３３とが回流管路３７により連通されており、ぜき手入れチャンバ２６の中には旋転ブロック２３が設置され、前記旋転ブロック２３の中にはノズル２５が回転可能に設置され、前記上手入れブラシ２４の表面にはラック５６が設置され、前記ノズル２５の中には洗浄管路５７が設置され、前記調節弁３９の片側には液体送出管路４０が設置され、前記上手入れブラシ２４の中には協働溝５８が設置され、前記協働溝５８の中には協働スライドブロック６０がスライド可能に設置され、前記協働スライドブロック６０が前記出力管路４０の表面に固定的に設置され、前記協働スライドブロック６０と前記協働溝５８の端壁との間には復帰ばね５９が弾性を持つように設置されている。
【００２０】
初期状態の時、前記下手入れブラシ２７と前記上手入れブラシ２４とが協働状態から離脱しており、前記スライド板１２が最大程度で前記スライドチャンバ１４の上方に位置する。
【００２１】
本発明を使う時、使用者は手入れされたいアクセサリーを前記下手入れブラシ２７に置き、前記モータ３６が作動し始め、前記モータ３６が前記主軸３５を回転連動させ、前記主軸３５が順に前記伝達主プーリ３０と、前記伝達副プーリ２９と、前記伝達主軸２２と、前記伝達主傘歯車２０と、前記伝達副傘歯車１８と、前記伝達副軸２１と、前記ウォーム１７と、前記ウォームホイール１６と前記連結軸１５により前記カム１３を回転連動させ、前記カム１３と前記スライド板１２とが接触状態から離脱し、前記上手入れブラシ２４が下にスライドし、前記上手入れブラシ２４が前記ラック５６により前記ノズル２５を回転連動させ、前記上手入れブラシ２４と前記下手入れブラシ２７とが協働状態に入ると同時に、前記主軸３５が前記下手入れブラシ２７を連動させて片方向に沿って回転させると同時に、前記主軸３５が次第に前記伝動主プーリ３２と、前記伝動副プーリ４４と、前記伝動主軸４７と、前記同期主プーリ５３と、前記同期副プーリ５５と、前記伝動副軸５１と、前記副回転歯車４９と、前記主回転歯車５０と前記連動軸４８とにより前記上手入れブラシ２４を連動させて逆方向に回転させ、アクセサリーに対する手入れ作動を行い、手入れ作動が完了すると、前記カム１３が前記スライド板１２と接触して前記スライド板１２をスライド連動させ、前記カム１３が順に前記スライド板１２と、前記連動軸４８とにより前記上手入れブラシ２４を上にスライド連動させ、前記上手入れブラシ２４が前記ラック５６により前記ノズル２５を回転復帰させると同時に、前記旋転ブロック２３と前記協働スライドブロック６０とが動作しあい、前記旋転ブロック２３が前記協働スライドブロック６０により前記液体送出管路４０をスライド連動させ、前記液体送出管路４０と前記洗浄管路５７とが動作しあうと同時に、前記主軸３５が順に前記ポンプ主歯車３４と、前記ポンプ副歯車４５と、前記ポンプ軸４３とにより前記洗浄ポンプ４２を作動連動させ、前記洗浄ポンプ４２が前記液体貯蔵チャンバ３３の中の洗浄液を加圧し、且つ前記高圧管路４１と、前記液体送出管路４０と、前記洗浄管路５７と、前記ノズル２５とによりアクセサリーを洗浄する。
【００２２】
本発明の有益効果は：本発明は構造が簡単で、操作とメンテナンスと検修が便利であり、アクセサリーを磨いて拭くことにより保護を行い、酸化した表面を除き、アクセサリーの美観度と手入れ効率を上げ、手入れ過程中の作業者の労力を削減し、使用と宣伝価値がある。
【００２３】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175366.tif 000003
【図２】
2020175366.tif 000004
【図３】
2020175366.tif 000005
【図４】
2020175366.tif 000006
【図５】
2020175366.tif 000007
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
正面視で、本体を含み、前記本体の中には手入れチャンバが設置され、前記手入れチャンバの中には手入れ装置が設置され、前記手入れチャンバの上側壁の中にはスライドチャンバが設置され、前記スライドチャンバの中にはスライド装置が設置され、前記手入れチャンバの下側壁の中には動力チャンバが設置され、前記動力チャンバの中には伝動装置が設置され、前記手入れチャンバの中には洗浄装置が設置され、前記本体の中には駆動機構が設置され、前記駆動機構はモータと主軸とを含み、前記主軸が前記動力チャンバの中に回転可能に設置され、前記モータが前記動力チャンバの下側壁の中に固定的に設置され、前記主軸と前記モータとが伝動可能に設置され、前記駆動機構により前記伝動装置を回転連動させることにより、前記手入れ装置を回転連動させてアクセサリーを手入れすることができ、
前記伝動装置は前記動力チャンバの中に設置された伝達主軸を含み、前記伝達主軸の底端には伝達副プーリが設置され、前記主軸の表面には伝達主プーリが固定的に設置され、前記伝達主プーリと前記伝達副プーリとの間には伝達ベルトが設置され、前記動力チャンバの上側壁の中には伝達チャンバが設置され、前記伝達主軸の頂端には前記伝達チャンバの中に位置した伝達主傘歯車が設置され、前記動力チャンバの中には伝動主軸が設置され、前記伝動主軸の底端には伝動副プーリが設置され、前記主軸の表面には伝動主プーリが固定的に設置され、前記伝動主プーリと前記伝動副プーリとの間には伝動ベルトが設置され、前記手入れチャンバの上側壁の中には延伸チャンバが設置され、前記延伸チャンバにおいて前記伝動主軸の頂端には同期主プーリが設置され、
前記手入れ装置は前記手入れチャンバの中に設置された下手入れブラシと上手入れブラシとを含み、前記上手入れブラシと前記下手入れブラシとが協働状態から離れた状態であり、前記手入れチャンバの中には連動軸がスライド可能に設置され、前記連動軸と前記上手入れブラシとが固定的に連結され、前記連動軸の表面には主回転歯車が固定的に設置され、前記手入れチャンバの中には伝動副軸が設置され、前記伝動副軸の底端には前記主回転歯車と噛み合った副回転歯車が設置され、前記伝動副軸の頂端には同期副プーリが設置され、前記同期副プーリと前記同期主プーリとの間には同期ベルトが設置され、前記下手入れブラシと前記主軸とが固定的に連結され、
前記スライド装置は前記スライドチャンバの中に設置された連結軸を含み、前記連結軸の前端にはカムが設置され、前記スライドチャンバの中にはスライド板がスライド可能に設置され、前記スライド板が前記連動軸の表面に回転可能に設置され、前記連結軸の後端にはウォームホイールが設置され、前記伝達チャンバの中には伝達副軸が設置され、前記伝達副軸の左端には前記伝達主傘歯車と噛み合った伝達副傘歯車が設置され、前記伝達副軸の右端には前記スライドチャンバの中に設置され且つ前記ウォームホイールと協働するウォームが設置され、
前記洗浄装置は前記動力チャンバの下壁の中に設置された洗浄ポンプを含み、前記動力チャンバの中にはポンプシャフトが回転可能に設置され、前記ポンプシャフトと前記洗浄ポンプとが伝動可能に連結され、前記ポンプシャフトの頂端にはポンプ副歯車が設置され、前記主軸の表面には前記ポンプ副歯車と噛み合ったポンプ主歯車が設置され、前記動力チャンバの下側壁の中には液体貯蔵チャンバが設置され、前記液体貯蔵チャンバと前記洗浄ポンプとの間が液体入り管路により連通されており、前記動力チャンバの下側壁の中には調節弁が設置され、前記調節弁と前記洗浄ポンプとが高圧管路により連通されており、前記調節弁と前記液体貯蔵チャンバとが回流管路により連通されており、前記手入れチャンバの中には旋転ブロックが設置され、前記旋転ブロックの中にはノズルが回転可能に設置され、前記上手入れブラシの表面にはラックが設置され、前記ノズルの中には洗浄管路が設置され、前記調節弁の片側には液体送出管路が設置され、前記上手入れブラシの中には協働溝が設置され、前記協働溝の中には協働スライドブロックがスライド可能に設置され、前記協働スライドブロックが前記出力管路の表面に固定的に設置され、前記協働スライドブロックと前記協働溝の端壁との間には復帰ばねが弾性を持つように設置されていることを特徴とするアクセサリー手入れ装置。
【手続補正２】
【補正対象書類名】明細書
【補正対象項目名】全文
【補正方法】変更
【補正の内容】
【発明の詳細な説明】
【技術分野】
【０００１】
本発明はアクセサリー手入れ分野に関し、具体的にはアクセサリー手入れ装置に関する。
【背景技術】
【０００２】
銀等の貴金属から作られたアクセサリーはデザインが美しく、細工が施され、しかも服装とうまくコーディネートできる。社会の発展とともに経済は上向きを持続し、購買力も増したことにより、人々の銀細工品に対する購買意欲が上がってきた。しかし銀細工品は長時間つけると、表面が酸化して黒くなり、美観度に影響し、着用者に不快感を覚えさせてしまう。そのため、本発明はアクセサリーを手入れできる装置をデザインする。
【先行技術文献】
【特許文献】
【０００３】
【特許文献１】中国特許出願公開第１０５６０３４４３号明細書
【発明の概要】
【発明が解決しようとする課題】
【０００４】
本発明の目的はアクセサリー手入れ装置を提供し、それは上記の現在の技術中の問題を解決できる。
【課題を解決するための手段】
【０００５】
上記の課題を解決するため、本発明は以下の技術プランを採用する：アクセサリー手入れ装置は、本体を含み、前記本体の中には手入れチャンバが設置され、前記手入れチャンバの中には手入れ装置が設置され、前記手入れチャンバの上側壁の中にはスライドチャンバが設置され、前記スライドチャンバの中にはスライド装置が設置され、前記手入れチャンバの下側壁の中には動力チャンバが設置され、前記動力チャンバの中には伝動装置が設置され、前記手入れチャンバの中には洗浄装置が設置され、前記本体の中には駆動機構が設置され、前記駆動機構はモータと主軸とを含み、前記主軸が前記動力チャンバの中に回転可能に設置され、前記モータが前記動力チャンバの下側壁の中に固定的に設置され、前記主軸と前記モータとが伝動可能に設置され、前記駆動機構により前記伝動装置を回転連動させることにより、前記手入れ装置を回転連動させてアクセサリーを手入れすることができる。
【０００６】
優選的には、前記伝動装置は前記動力チャンバの中に設置された伝達主軸を含み、前記伝達主軸の底端には伝達副プーリが設置され、前記主軸の表面には伝達主プーリが固定的に設置され、前記伝達主プーリと前記伝達副プーリとの間には伝達ベルトが設置され、前記動力チャンバの上側壁の中には伝達チャンバが設置され、前記伝達主軸の頂端には前記伝達チャンバの中に位置した伝達主傘歯車が設置され、前記動力チャンバの中には伝動主軸が設置され、前記伝動主軸の底端には伝動副プーリが設置され、前記主軸の表面には伝動主プーリが固定的に設置され、前記伝動主プーリと前記伝動副プーリとの間には伝動ベルトが設置され、前記手入れチャンバの上側壁の中には延伸チャンバが設置され、前記延伸チャンバにおいて前記伝動主軸の頂端には同期主プーリが設置されている。
【０００７】
前記手入れ装置は前記手入れチャンバの中に設置された下手入れブラシと上手入れブラシとを含み、前記上手入れブラシと前記下手入れブラシとが協働状態から離れた状態であり、前記手入れチャンバの中には連動軸がスライド可能に設置され、前記連動軸と前記上手入れブラシとが固定的に連結され、前記連動軸の表面には主回転歯車が固定的に設置され、前記手入れチャンバの中には伝動副軸が設置され、前記伝動副軸の底端には前記主回転歯車と噛み合った副回転歯車が設置され、前記伝動副軸の頂端には同期副プーリが設置され、前記同期副プーリと前記同期主プーリとの間には同期ベルトが設置され、前記下手入れブラシと前記主軸とが固定的に連結されている。
【０００８】
前記スライド装置は前記スライドチャンバの中に設置された連結軸を含み、前記連結軸の前端にはカムが設置され、前記スライドチャンバの中にはスライド板がスライド可能に設置され、前記スライド板が前記連動軸の表面に回転可能に設置され、前記連結軸の後端にはウォームホイールが設置され、前記伝達チャンバの中には伝達副軸が設置され、前記伝達副軸の左端には前記伝達主傘歯車と噛み合った伝達副傘歯車が設置され、前記伝達副軸の右端には前記スライドチャンバの中に設置され且つ前記ウォームホイールと協働するウォームが設置されている。
【０００９】
前記洗浄装置は前記動力チャンバの下壁の中に設置された洗浄ポンプを含み、前記動力チャンバの中にはポンプシャフトが回転可能に設置され、前記ポンプシャフトと前記洗浄ポンプとが伝動可能に連結され、前記ポンプシャフトの頂端にはポンプ副歯車が設置され、前記主軸の表面には前記ポンプ副歯車と噛み合ったポンプ主歯車が設置され、前記動力チャンバの下側壁の中には液体貯蔵チャンバが設置され、前記液体貯蔵チャンバと前記洗浄ポンプとの間が液体入り管路により連通されており、前記動力チャンバの下側壁の中には調節弁が設置され、前記調節弁と前記洗浄ポンプとが高圧管路により連通されており、前記調節弁と前記液体貯蔵チャンバとが回流管路により連通されており、前記手入れチャンバの中には旋転ブロックが設置され、前記旋転ブロックの中にはノズルが回転可能に設置され、前記上手入れブラシの表面にはラックが設置され、前記ノズルの中には洗浄管路が設置され、前記調節弁の片側には液体送出管路が設置され、前記上手入れブラシの中には協働溝が設置され、前記協働溝の中には協働スライドブロックがスライド可能に設置され、前記協働スライドブロックが前記出力管路の表面に固定的に設置され、前記協働スライドブロックと前記協働溝の端壁との間には復帰ばねが弾性を持つように設置されている。
【発明の効果】
【００１０】
本発明の有益効果は：本発明は構造が簡単で、操作とメンテナンスと検修が便利であり、アクセサリーを磨いて拭くことにより保護を行い、酸化した表面を除き、アクセサリーの美観度と手入れ効率を上げ、手入れ過程中の作業者の労力を削減し、使用と宣伝価値がある。
【図面の簡単な説明】
【００１１】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明のアクセサリー手入れ装置の全体構造略図
【図２】図２は図１におけるＡの構造略図
【図３】図３は図１におけるＢ―Ｂの構造略図
【図４】図４は図１におけるＣの構造略図
【図５】図５は図１におけるＤの構造略図
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。
【００１４】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１５】
図１〜５に示すように、本発明のアクセサリー手入れ装置は、本体１１を含み、前記本体１１の中には手入れチャンバ２６が設置され、前記手入れチャンバ２６の中には手入れ装置が設置され、前記手入れチャンバ２６の上側壁の中にはスライドチャンバ１４が設置され、前記スライドチャンバ１４の中にはスライド装置が設置され、前記手入れチャンバ２６の下側壁の中には動力チャンバ３１が設置され、前記動力チャンバ３１の中には伝動装置が設置され、前記手入れチャンバ２６の中には洗浄装置が設置され、前記本体１１の中には駆動機構が設置され、前記駆動機構はモータ３６と主軸３５とを含み、前記主軸３５が前記動力チャンバ３１の中に回転可能に設置され、前記モータ３６が前記動力チャンバ３１の下側壁の中に固定的に設置され、前記主軸３５と前記モータ３６とが伝動可能に設置され、前記駆動機構により前記伝動装置を回転連動させることにより、前記手入れ装置を回転連動させてアクセサリーを手入れすることができる。
【００１６】
有益的には、前記伝動装置は前記動力チャンバ３１の中に設置された伝達主軸２２を含み、前記伝達主軸２２の底端には伝達副プーリ２９が設置され、前記主軸３５の表面には伝達主プーリ３０が固定的に設置され、前記伝達主プーリ３０と前記伝達副プーリ２９との間には伝達ベルト２８が設置され、前記動力チャンバ３１の上側壁の中には伝達チャンバ１９が設置され、前記伝達主軸２２の頂端には前記伝達チャンバ１９の中に位置した伝達主傘歯車２０が設置され、前記動力チャンバ３１の中には伝動主軸４７が設置され、前記伝動主軸４７の底端には伝動副プーリ４４が設置され、前記主軸３５の表面には伝動主プーリ３２が固定的に設置され、前記伝動主プーリ３２と前記伝動副プーリ４４との間には伝動ベルト４６が設置され、前記手入れチャンバ２６の上側壁の中には延伸チャンバ５２が設置され、前記延伸チャンバ５２において前記伝動主軸４７の頂端には同期主プーリ５３が設置されている。
【００１７】
前記手入れ装置は前記手入れチャンバ２６の中に設置された下手入れブラシ２７と上手入れブラシ２４とを含み、前記上手入れブラシ２４と前記下手入れブラシ２７とが協働状態から離れた状態であり、前記手入れチャンバ２６の中には連動軸４８がスライド可能に設置され、前記連動軸４８と前記上手入れブラシ２４とが固定的に連結され、前記連動軸４８の表面には主回転歯車５０が固定的に設置され、前記手入れチャンバ２６の中には伝動副軸５１が設置され、前記伝動副軸５１の底端には前記主回転歯車と噛み合った副回転歯車４９が設置され、前記伝動副軸５１の頂端には同期副プーリ５５が設置され、前記同期副プーリ５５と前記同期主プーリ５３との間には同期ベルト５４が設置され、前記下手入れブラシ２７と前記主軸３５とが固定的に連結されている。
【００１８】
前記スライド装置は前記スライドチャンバ１４の中に設置された連結軸１５を含み、前記連結軸１５の前端にはカム１３が設置され、前記スライドチャンバ１４の中にはスライド板１２がスライド可能に設置され、前記スライド板１２が前記連動軸４８の表面に回転可能に設置され、前記連結軸１５の後端にはウォームホイール１６が設置され、前記伝達チャンバ１９の中には伝達副軸２１が設置され、前記伝達副軸２１の左端には前記伝達主傘歯車２０と噛み合った伝達副傘歯車１８が設置され、前記伝達副軸２１の右端には前記スライドチャンバ１４の中に設置され且つ前記ウォームホイール１６と協働するウォーム１７が設置されている。
【００１９】
前記洗浄装置は前記動力チャンバ３１の下壁の中に設置された洗浄ポンプ４２を含み、前記動力チャンバ３１の中にはポンプシャフト４３が回転可能に設置され、前記ポンプシャフト４３と前記洗浄ポンプ４２とが伝動可能に連結され、前記ポンプシャフト４３の頂端にはポンプ副歯車４５が設置され、前記主軸３５の表面には前記ポンプ副歯車４５と噛み合ったポンプ主歯車３４が設置され、前記動力チャンバ３１の下側壁の中には液体貯蔵チャンバ３３が設置され、前記液体貯蔵チャンバ３３と前記洗浄ポンプ４２との間が液体入り管路３８により連通されており、前記動力チャンバ３１の下側壁の中には調節弁３９が設置され、前記調節弁３９と前記洗浄ポンプ４２とが高圧管路４１により連通されており、前記調節弁３９と前記液体貯蔵チャンバ３３とが回流管路３７により連通されており、前記手入れチャンバ２６の中には旋転ブロック２３が設置され、前記旋転ブロック２３の中にはノズル２５が回転可能に設置され、前記上手入れブラシ２４の表面にはラック５６が設置され、前記ノズル２５の中には洗浄管路５７が設置され、前記調節弁３９の片側には液体送出管路４０が設置され、前記上手入れブラシ２４の中には協働溝５８が設置され、前記協働溝５８の中には協働スライドブロック６０がスライド可能に設置され、前記協働スライドブロック６０が前記出力管路４０の表面に固定的に設置され、前記協働スライドブロック６０と前記協働溝５８の端壁との間には復帰ばね５９が弾性を持つように設置されている。
【００２０】
初期状態の時、前記下手入れブラシ２７と前記上手入れブラシ２４とが協働状態から離脱しており、前記スライド板１２が最大程度で前記スライドチャンバ１４の上方に位置する。
【００２１】
本発明を使う時、使用者は手入れされたいアクセサリーを前記下手入れブラシ２７に置き、前記モータ３６が作動し始め、前記モータ３６が前記主軸３５を回転連動させ、前記主軸３５が順に前記伝達主プーリ３０と、前記伝達副プーリ２９と、前記伝達主軸２２と、前記伝達主傘歯車２０と、前記伝達副傘歯車１８と、前記伝達副軸２１と、前記ウォーム１７と、前記ウォームホイール１６と前記連結軸１５により前記カム１３を回転連動させ、前記カム１３と前記スライド板１２とが接触状態から離脱し、前記上手入れブラシ２４が下にスライドし、前記上手入れブラシ２４が前記ラック５６により前記ノズル２５を回転連動させ、前記上手入れブラシ２４と前記下手入れブラシ２７とが協働状態に入ると同時に、前記主軸３５が前記下手入れブラシ２７を連動させて片方向に沿って回転させると同時に、前記主軸３５が次第に前記伝動主プーリ３２と、前記伝動副プーリ４４と、前記伝動主軸４７と、前記同期主プーリ５３と、前記同期副プーリ５５と、前記伝動副軸５１と、前記副回転歯車４９と、前記主回転歯車５０と前記連動軸４８とにより前記上手入れブラシ２４を連動させて逆方向に回転させ、アクセサリーに対する手入れ作動を行い、手入れ作動が完了すると、前記カム１３が前記スライド板１２と接触して前記スライド板１２をスライド連動させ、前記カム１３が順に前記スライド板１２と、前記連動軸４８とにより前記上手入れブラシ２４を上にスライド連動させ、前記上手入れブラシ２４が前記ラック５６により前記ノズル２５を回転復帰させると同時に、前記旋転ブロック２３と前記協働スライドブロック６０とが動作しあい、前記旋転ブロック２３が前記協働スライドブロック６０により前記液体送出管路４０をスライド連動させ、前記液体送出管路４０と前記洗浄管路５７とが動作しあうと同時に、前記主軸３５が順に前記ポンプ主歯車３４と、前記ポンプ副歯車４５と、前記ポンプ軸４３とにより前記洗浄ポンプ４２を作動連動させ、前記洗浄ポンプ４２が前記液体貯蔵チャンバ３３の中の洗浄液を加圧し、且つ前記高圧管路４１と、前記液体送出管路４０と、前記洗浄管路５７と、前記ノズル２５とによりアクセサリーを洗浄する。
【００２２】
本発明の有益効果は：本発明は構造が簡単で、操作とメンテナンスと検修が便利であり、アクセサリーを磨いて拭くことにより保護を行い、酸化した表面を除き、アクセサリーの美観度と手入れ効率を上げ、手入れ過程中の作業者の労力を削減し、使用と宣伝価値がある。
【００２３】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
アクセサリー手入れ装置であって、正面視で、本体を含み、前記本体の中には手入れチャンバが設置され、前記手入れチャンバの中には手入れ装置が設置され、前記手入れチャンバの上側壁の中にはスライドチャンバが設置され、前記スライドチャンバの中にはスライド装置が設置され、前記手入れチャンバの下側壁の中には動力チャンバが設置され、前記動力チャンバの中には伝動装置が設置され、前記手入れチャンバの中には洗浄装置が設置され、前記本体の中には駆動機構が設置され、前記駆動機構はモータと主軸とを含み、前記主軸が前記動力チャンバの中に回転可能に設置され、前記モータが前記動力チャンバの下側壁の中に固定的に設置され、前記主軸と前記モータとが伝動可能に設置され、前記駆動機構により前記伝動装置を回転連動させることにより、前記手入れ装置を回転連動させてアクセサリーを手入れすることができ、
前記伝動装置は前記動力チャンバの中に設置された伝達主軸を含み、前記伝達主軸の底端には伝達副プーリが設置され、前記主軸の表面には伝達主プーリが固定的に設置され、前記伝達主プーリと前記伝達副プーリとの間には伝達ベルトが設置され、前記動力チャンバの上側壁の中には伝達チャンバが設置され、前記伝達主軸の頂端には前記伝達チャンバの中に位置した伝達主傘歯車が設置され、前記動力チャンバの中には伝動主軸が設置され、前記伝動主軸の底端には伝動副プーリが設置され、前記主軸の表面には伝動主プーリが固定的に設置され、前記伝動主プーリと前記伝動副プーリとの間には伝動ベルトが設置され、前記手入れチャンバの上側壁の中には延伸チャンバが設置され、前記延伸チャンバにおいて前記伝動主軸の頂端には同期主プーリが設置され、
前記手入れ装置は前記手入れチャンバの中に設置された下手入れブラシと上手入れブラシとを含み、前記上手入れブラシと前記下手入れブラシとが協働状態から離れた状態であり、前記手入れチャンバの中には連動軸がスライド可能に設置され、前記連動軸と前記上手入れブラシとが固定的に連結され、前記連動軸の表面には主回転歯車が固定的に設置され、前記手入れチャンバの中には伝動副軸が設置され、前記伝動副軸の底端には前記主回転歯車と噛み合った副回転歯車が設置され、前記伝動副軸の頂端には同期副プーリが設置され、前記同期副プーリと前記同期主プーリとの間には同期ベルトが設置され、前記下手入れブラシと前記主軸とが固定的に連結され、
前記スライド装置は前記スライドチャンバの中に設置された連結軸を含み、前記連結軸の前端にはカムが設置され、前記スライドチャンバの中にはスライド板がスライド可能に設置され、前記スライド板が前記連動軸の表面に回転可能に設置され、前記連結軸の後端にはウォームホイールが設置され、前記伝達チャンバの中には伝達副軸が設置され、前記伝達副軸の左端には前記伝達主傘歯車と噛み合った伝達副傘歯車が設置され、前記伝達副軸の右端には前記スライドチャンバの中に設置され且つ前記ウォームホイールと協働するウォームが設置され、
前記洗浄装置は前記動力チャンバの下壁の中に設置された洗浄ポンプを含み、前記動力チャンバの中にはポンプシャフトが回転可能に設置され、前記ポンプシャフトと前記洗浄ポンプとが伝動可能に連結され、前記ポンプシャフトの頂端にはポンプ副歯車が設置され、前記主軸の表面には前記ポンプ副歯車と噛み合ったポンプ主歯車が設置され、前記動力チャンバの下側壁の中には液体貯蔵チャンバが設置され、前記液体貯蔵チャンバと前記洗浄ポンプとの間が液体入り管路により連通されており、前記動力チャンバの下側壁の中には調節弁が設置され、前記調節弁と前記洗浄ポンプとが高圧管路により連通されており、前記調節弁と前記液体貯蔵チャンバとが回流管路により連通されており、前記手入れチャンバの中には旋転ブロックが設置され、前記旋転ブロックの中にはノズルが回転可能に設置され、前記上手入れブラシの表面にはラックが設置され、前記ノズルの中には洗浄管路が設置され、前記調節弁の片側には液体送出管路が設置され、前記上手入れブラシの中には協働溝が設置され、前記協働溝の中には協働スライドブロックがスライド可能に設置され、前記協働スライドブロックが前記出力管路の表面に固定的に設置され、前記協働スライドブロックと前記協働溝の端壁との間には復帰ばねが弾性を持つように設置されており、前記アクセサリー手入れ装置を使う時、使用者は手入れされるアクセサリーを前記下手入れブラシに置くことを特徴とするアクセサリー手入れ装置。
【手続補正書】
【提出日】令和2年6月9日(2020.6.9)
【手続補正１】
【補正対象書類名】特許請求の範囲
【補正対象項目名】全文
【補正方法】変更
【補正の内容】
【特許請求の範囲】
【請求項１】
アクセサリー手入れ装置であって、正面視で、本体を含み、前記本体の中には手入れチャンバが設置され、前記手入れチャンバの中には手入れ装置が設置され、前記手入れチャンバの上側壁の中にはスライドチャンバが設置され、前記スライドチャンバの中にはスライド装置が設置され、前記手入れチャンバの下側壁の中には動力チャンバが設置され、前記動力チャンバの中には伝動装置が設置され、前記手入れチャンバの中には洗浄装置が設置され、前記本体の中には駆動機構が設置され、前記駆動機構はモータと主軸とを含み、前記主軸が前記動力チャンバの中に回転可能に設置され、前記モータが前記動力チャンバの下側壁の中に固定的に設置され、前記主軸と前記モータとが伝動可能に設置され、前記駆動機構により前記伝動装置を回転連動させることにより、前記手入れ装置を回転連動させてアクセサリーを手入れすることができ、
前記伝動装置は前記動力チャンバの中に設置された伝達主軸を含み、前記伝達主軸の底端には伝達副プーリが設置され、前記主軸の表面には伝達主プーリが固定的に設置され、前記伝達主プーリと前記伝達副プーリとの間には伝達ベルトが設置され、前記動力チャンバの上側壁の中には伝達チャンバが設置され、前記伝達主軸の頂端には前記伝達チャンバの中に位置した伝達主傘歯車が設置され、前記動力チャンバの中には伝動主軸が設置され、前記伝動主軸の底端には伝動副プーリが設置され、前記主軸の表面には伝動主プーリが固定的に設置され、前記伝動主プーリと前記伝動副プーリとの間には伝動ベルトが設置され、前記手入れチャンバの上側壁の中には延伸チャンバが設置され、前記延伸チャンバにおいて前記伝動主軸の頂端には同期主プーリが設置され、
前記手入れ装置は前記手入れチャンバの中に設置された下手入れブラシと上手入れブラシとを含み、前記上手入れブラシと前記下手入れブラシとが協働状態から離れた状態であり、前記手入れチャンバの中には連動軸がスライド可能に設置され、前記連動軸と前記上手入れブラシとが固定的に連結され、前記連動軸の表面には主回転歯車が固定的に設置され、前記手入れチャンバの中には伝動副軸が設置され、前記伝動副軸の底端には前記主回転歯車と噛み合った副回転歯車が設置され、前記伝動副軸の頂端には同期副プーリが設置され、前記同期副プーリと前記同期主プーリとの間には同期ベルトが設置され、前記下手入れブラシと前記主軸とが固定的に連結され、
前記スライド装置は前記スライドチャンバの中に設置された連結軸を含み、前記連結軸の前端にはカムが設置され、前記スライドチャンバの中にはスライド板がスライド可能に設置され、前記スライド板が前記連動軸の表面に回転可能に設置され、前記連結軸の後端にはウォームホイールが設置され、前記伝達チャンバの中には伝達副軸が設置され、前記伝達副軸の左端には前記伝達主傘歯車と噛み合った伝達副傘歯車が設置され、前記伝達副軸の右端には前記スライドチャンバの中に設置され且つ前記ウォームホイールと協働するウォームが設置され、
前記洗浄装置は前記動力チャンバの下壁の中に設置された洗浄ポンプを含み、前記動力チャンバの中にはポンプシャフトが回転可能に設置され、前記ポンプシャフトと前記洗浄ポンプとが伝動可能に連結され、前記ポンプシャフトの頂端にはポンプ副歯車が設置され、前記主軸の表面には前記ポンプ副歯車と噛み合ったポンプ主歯車が設置され、前記動力チャンバの下側壁の中には液体貯蔵チャンバが設置され、前記液体貯蔵チャンバと前記洗浄ポンプとの間が液体入り管路により連通されており、前記動力チャンバの下側壁の中には調節弁が設置され、前記調節弁と前記洗浄ポンプとが高圧管路により連通されており、前記調節弁と前記液体貯蔵チャンバとが回流管路により連通されており、前記手入れチャンバの中には旋転ブロックが設置され、前記旋転ブロックの中にはノズルが回転可能に設置され、前記上手入れブラシの表面にはラックが設置され、前記ノズルの中には洗浄管路が設置され、前記調節弁の片側には液体送出管路が設置され、前記上手入れブラシの中には協働溝が設置され、前記協働溝の中には協働スライドブロックがスライド可能に設置され、前記協働スライドブロックが前記出力管路の表面に固定的に設置され、前記協働スライドブロックと前記協働溝の端壁との間には復帰ばねが弾性を持つように設置されており、前記アクセサリー手入れ装置を使う時、使用者は手入れされるアクセサリーを前記下手入れブラシに置くことができ、
前記アクセサリー手入れ装置を使う時、使用者は手入れされたいアクセサリーを前記下手入れブラシに置き、前記モータが作動し始め、前記モータが前記主軸を回転連動させ、前記主軸が順に前記伝達主プーリと、前記伝達副プーリと、前記伝達主軸と、前記伝達主傘歯車と、前記伝達副傘歯車と、前記伝達副軸と、前記ウォームと、前記ウォームホイールと前記連結軸により前記カムを回転連動させ、前記カムと前記スライド板とが接触状態から離脱し、前記上手入れブラシが下にスライドし、前記上手入れブラシが前記ラックにより前記ノズルを回転連動させ、前記上手入れブラシと前記下手入れブラシとが協働状態に入ると同時に、前記主軸が前記下手入れブラシを連動させて片方向に沿って回転させると同時に、前記主軸が次第に前記伝動主プーリと、前記伝動副プーリと、前記伝動主軸と、前記同期主プーリと、前記同期副プーリと、前記伝動副軸と、前記副回転歯車と、前記主回転歯車と前記連動軸とにより前記上手入れブラシを連動させて逆方向に回転させ、アクセサリーに対する手入れ作動を行い、手入れ作動が完了すると、前記カムが前記スライド板と接触して前記スライド板をスライド連動させ、前記カムが順に前記スライド板と、前記連動軸とにより前記上手入れブラシを上にスライド連動させ、前記上手入れブラシが前記ラックにより前記ノズルを回転復帰させると同時に、前記旋転ブロックと前記協働スライドブロックとが動作しあい、前記旋転ブロックが前記協働スライドブロックにより前記液体送出管路をスライド連動させ、前記液体送出管路と前記洗浄管路とが動作しあうと同時に、前記主軸が順に前記ポンプ主歯車と、前記ポンプ副歯車と、前記ポンプ軸とにより前記洗浄ポンプを作動連動させ、前記洗浄ポンプが前記液体貯蔵チャンバの中の洗浄液を加圧し、且つ前記高圧管路と、前記液体送出管路と、前記洗浄管路と、前記ノズルとによりアクセサリーを洗浄することを特徴とするアクセサリー手入れ装置。